【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
大量燃料燃焼炉であって、以下：
ａ．大量燃料供給エレメント；
ｂ．該大量燃料供給エレメントから大量の燃料を受容するように位置付けされる、燃焼チャンバー；
ｃ．該燃焼チャンバー内にあり、そして入口端、出口端、および大量の燃料が横切って運搬される該入口端と該出口端との間に長さを設置する、複数の重複火格子エレメント；
ｄ．該燃焼チャンバー内にある、燃焼気体供給；
ｅ．重複セグメントの各対の間に空間を形成している該複数の重複火格子エレメントの複数の重複セグメントであって、ここで該燃焼気体供給が、該複数の空間を通じて燃焼気体を導入するために位置付けされる、セグメント；
ｆ．該燃焼チャンバー内にある第２の気体供給；
ｇ．第２の気体を、該第２の気体供給から、重複火格子エレメントの該長さを横切って運搬される該大量の燃料に導入するための、該複数の重複火格子エレメント内にある複数のアパーチャ；および  
ｈ．該複数の重複固定火格子エレメントの該出口端の付近に位置する、灰排出システム、
を備える、大量燃料燃焼炉。
【請求項２】
前記燃焼気体が燃焼空気を含む、請求項１に記載の大量燃料燃焼炉。
【請求項３】
前記複数の重複火格子エレメントが実質的に障害とならない平面表面を形成する、請求項１に記載の大量燃料燃焼炉。
【請求項４】
前記複数の重複火格子エレメントの各々が実質的に平面の重複火格子エレメントを備える、請求項３に記載の大量燃料燃焼炉。
【請求項５】
再循環燃焼気体供給を前記燃焼チャンバー内にさらに備える、請求項１に記載の大量燃料燃焼炉。
【請求項６】
前記複数の重複火格子エレメントが、該複数の重複火格子エレメントの少なくとも２つの間にインターロックシステムをさらに備える、請求項４に記載の大量燃料燃焼炉。
【請求項７】
前記インターロックシステムが、平面制限エレメントを含む、請求項６に記載の大量燃料燃焼炉。
【請求項８】
前記インターロックシステムが、前記複数の重複火格子エレメントの各々において供給を備える、請求項６に記載の大量燃料燃焼炉。
【請求項９】
請求項６に記載の大量燃料燃焼炉であって、そして複数の重複火格子エレメントの少なくとも１つに対して必須の複数の一体型リブをさらに備える、大量燃料燃焼炉。
【請求項１０】
請求項１に記載の大量燃料燃焼炉であって、そして重複セグメントの各対の間の前記空間を設置する重複スペーサーをさらに備える、大量燃料燃焼炉。
【請求項１１】
請求項１０に記載の大量燃料燃焼炉であって、ここで重複セグメントの各対の間に前記空間を設置する前記重複スペーサーが、前記複数の重複火格子エレメントの少なくとも１つに対して必須のインテグラルスペーサーを備える、大量燃料燃焼炉。
【請求項１２】
請求項２に記載の大量燃料燃焼炉であって、そして前記複数の重複火格子エレメントの下に位置している燃焼空気プレナムをさらに備え、該燃焼空気プレナムが前記燃焼空気を含む、大量燃料燃焼炉。
【請求項１３】
請求項２に記載の大量燃料燃焼炉であって、そして前記燃焼空気が応答性である気体パルスシステムをさらに備える、大量燃料燃焼炉。
【請求項１４】
前記燃焼チャンバー内に燃焼後気体供給をさらに備える、請求項１に記載の大量燃料燃焼炉
【請求項１５】
前記再循環燃焼気体供給が、前記燃焼チャンバー内に燃焼後気体供給を備える、請求項５に記載の大量燃料燃焼炉。
【請求項１６】
請求項１に記載の大量燃料燃焼炉であって、そして、少なくとも１つの前記重複火格子エレメントに隣接し、そして前記第２の気体供給に対して応答性である、第２の気体プレナムをさらに備える、大量燃料燃焼炉。
【請求項１７】
請求項１６に記載の大量燃料燃焼炉であって、そして前記第２の気体が応答性である第２の気体パルスシステムをさらに備える、大量燃料燃焼炉。
【請求項１８】
請求項１７に記載の大量燃料燃焼炉であって、ここで前記第２の気体パルスシステムが、前記第２の気体プレナムが応答性である少なくとも１つのポペットエレメントを備える、大量燃料燃焼炉。
【請求項１９】
請求項１８に記載の大量燃料燃焼炉であって、ここで前記第２の気体プレナムが応答性である前記ポペットエレメントは、以下：
ａ．末端開口部を有する気体ハウジング；
ｂ．該気体ハウジングの該末端開口部に隣接して位置付けされる制御可能キャップ；および
ｃ．該気体ハウジングの該末端開口部と該制御可能キャップとの間に位置付けされるシール、
を備える、大量燃料燃焼炉。
【請求項２０】
前記燃焼気体供給が、前記第２の気体パルスシステムから独立している、請求項１８に記載の大量燃料燃焼炉。
【請求項２１】
請求項１に記載の大量燃料燃焼炉であって、そして少なくともいくつかの前記複数の重複火格子エレメントが応答性である振動エレメントをさらに備える、大量燃料燃焼炉。
【請求項２２】
請求項２１に記載の大量燃料燃焼炉であって、ここで前記複数の火格子エレメントが、前記振動エレメントに対して各々個々に応答性であり、そして独立して制御可能である複数の振動火格子帯を備える、大量燃料燃焼炉。
【請求項２３】
請求項１に記載の大量燃料燃焼炉であって、そして燃焼制御システムをさらに備える、大量燃料燃焼炉。
【請求項２４】
請求項１４に記載の大量燃料燃焼炉であって、そして燃焼制御システムをさらに備える、大量燃料燃焼炉。
【請求項２５】
前記燃焼チャンバー内の状態に対して応答性である少なくとも１つの温度センサーをさらに備え、該温度センサーに対して前記燃焼制御システムが応答性である、請求項２３または２４に記載の大量燃料燃焼炉。
【請求項２６】
請求項２５に記載の大量燃料燃焼炉であって、ここで前記少なくとも１つの温度センサーが前記燃焼チャンバー内の状態に対して応答性であり、かつ前記燃焼制御システムが、該温度センサーに対して応答性である、以下を含む大量燃料燃焼炉：
ａ． 該燃焼チャンバー状態に対して応答性である第１の温度センサーであって、かつ該燃焼制御システムが、該温度センサーに対して応答性である、第１の温度センサー；および
ｂ．該燃焼チャンバー内の状態に対して応答性である第２の温度センサーであって、かつ該燃焼制御システムがまた、該第２の温度センサーに対して応答性である、第２の温度センサー。
【請求項２７】
請求項２６に記載の大量燃料燃焼炉であって、ここで前記第１の温度センサーは前記燃焼チャンバー内の状態に対して応答性であり、かつ前記燃焼制御システムは、該第１の温度センサーに対して応答性であり、該第１の温度センサーは燃焼温度センサーを備え、そしてここで前記第２の温度センサーは、該燃焼チャンバー内の状態に対して応答性であり、かつ該燃焼制御システムはまた、該第２の温度センサー対して応答性であり、該第２の温度センサーは、燃焼後温度センサーを備える、大量燃料燃焼炉。
【請求項２８】
請求項２３または２４に記載の大量燃料燃焼炉であって、ここで前記燃焼制御システムは、燃焼パラメーター調整システムを備える、大量燃料燃焼炉。
【請求項２９】
請求項２３または２４に記載の大量燃料燃焼炉であって、ここで前記燃焼制御システムが以下からなる群より選択されるシステムに対して応答性を有する、大量燃料燃焼炉：前記大量燃料供給エレメント、前記燃焼気体供給、前記第２の気体供給、前記燃焼後気体供給、前記灰排出システム、チャンバー冷却システム、チャンバー冷却気体供給、前記灰排出システム、運搬システムの速度、振動システム、火格子振動システム、ローラーエレメント、およびこのようなシステムの任意の組み合わせまたは錯列。
【請求項３０】
請求項２９に記載の大量燃料燃焼炉であって、ここで前記燃焼制御システムが、以下からなる群より選択される燃焼パラメーターに対して応答性である制御システムを備える、大量燃料燃焼炉：酸素含有量、一酸化炭素含有量、炉圧、温度、燃焼温度、燃焼後温度、燃料供給速度と燃焼気体供給速度との間の関係およびこのようなパラメーターの任意の組み合わせまたは錯列。
【請求項３１】
請求項２３または２４に記載の大量燃料燃焼炉であって、ここで前記燃焼制御システムが、以下からなる群から選択されるパラメーターに対して応答性を有する、大量燃料燃焼炉：燃料供給速度、炉熱放出速度、気体パルス周波数、気体フロー速度、燃焼気体フロー速度、第２の気体フロー速度、灰排出速度、大量の燃料運搬速度、振動強度、振動周波数、振動場所、振動タイミング、ローラースピード、ローラー深度、大量の燃料深度およびこのようなパラメーターの任意の組み合わせまたは錯列。
【請求項３２】
前記灰排出システムがローラーを備える、請求項１に記載の大量燃料燃焼炉。
【請求項３３】
請求項３２に記載の大量燃料燃焼炉であって、ここで前記ローラーが隣接可能なローラーを備え、前記火格子システムにおける燃料の量が、該隣接可能なローラーに対して応答性である、大量燃料燃焼炉。
【請求項３４】
請求項３２に記載の大量燃料燃焼炉であって、ここで前記灰排出システムが、前記ローラーに隣接して位置付けされる旋回可能なプレートをさらに備える、大量燃料燃焼炉。
【請求項３５】
請求項１に記載の大量燃料燃焼炉であって、ここで前記大量燃料供給エレメントが、低部空気導入大量燃料供給システムを備える、大量燃料燃焼炉。
【請求項３６】
請求項３１に記載の大量燃料燃焼炉であって、ここで前記大量燃料供給エレメントが、低部空気導入大量燃料供給システムを備える、大量燃料燃焼炉。
【請求項３７】
大量燃料燃焼炉であって、以下：
ａ．大量燃料供給エレメント；
ｂ．該大量燃料供給エレメントから大量の燃料を受容するために位置付けされる燃焼チャンバー；
ｃ．該燃焼チャンバー内にあり、かつ入口端および出口端を有する火格子システム；
ｄ．複数の独立して制御可能な振動エレメントであって、これに対して該火格子システムが応答性である、制御可能な振動エレメント；
ｅ．該燃焼チャンバー内の燃焼気体供給；および
ｆ．該火格子システムの該出口端の付近に位置する灰排出システム、
を含む、大量燃料燃焼炉。 
【請求項３８】
前記火格子システムは、複数の重複火格子エレメントを備える、請求項３７に記載の大量燃料燃焼炉。
【請求項３９】
請求項３８に記載の大量燃料燃焼炉であって、ここで前記複数の重複火格子エレメントが複数の火格子帯を備え、該複数の火格子帯は、前記複数の独立して制御可能な振動エレメントの少なくとも一部に対して、各々個々に応答性である、大量燃料燃焼炉。
【請求項４０】
請求項３９に記載の大量燃料燃焼炉であって、そして複数の振動相互連絡エレメントをさらに備え、該複数の振動相互連絡エレメントの各々に対して、前記複数の重複火格子エレメントの少なくとも一部が応答性である、大量燃料燃焼炉。
【請求項４１】
請求項４０に記載の大量燃料燃焼炉であって、ここで前記複数の振動相互連絡エレメントの少なくとも一部が、前記複数の独立して制御可能な振動エレメントの各々に対して応答性である、大量燃料燃焼炉。
【請求項４２】
前記複数の振動相互連絡エレメントの各々がロッドを備える、請求項４１に記載の大量燃料燃焼炉。
【請求項４３】
請求項４２に記載の大量燃料燃焼炉であって、ここで前記重複火格子エレメントが、リブエレメントをさらに備え、該リブエレメントの各々が、前記相互連絡エレメントの一つに対して応答性である、大量燃料燃焼炉。  
【請求項４４】
請求項３７に記載の大量燃料燃焼炉であって、ここで前記火格子システムが複数の振動火格子帯を備え、該複数の振動火格子帯は、前記複数の独立して制御可能な振動エレメントの一つに対して各々個々に応答性である、大量燃料燃焼炉。
【請求項４５】
大量の燃料を燃焼する方法であって、該方法は、以下の工程：
ａ．大量の燃料を受容するように位置付けされる燃焼チャンバーを提供する工程；
ｂ．該燃焼チャンバー内に火格子システムを設置するために複数の火格子エレメントを重複する工程；
ｃ．該複数の重複火格子エレメントを重複する該工程の結果として、該火格子システムにおいて複数の空間を設置する工程；
ｄ．該複数の重複火格子エレメントにおいて、複数のアパーチャを提供する工程；
ｅ．大量の燃料を、該燃焼チャンバーへ供給する工程；
ｆ．該火格子システムにおいて該複数の空間を通じて、燃焼気体を導入する工程；
ｇ．該燃焼チャンバー内にある該複数の重複火格子エレメントにおいて、該複数のアパーチャを通じて第２の気体を導入する工程；
ｈ．該火格子システムを横切って、該大量の燃料を運搬する工程；
ｉ．該大量の燃料の少なくとも一部を燃焼し、燃焼生成物を生成する工程；および
ｊ．該燃焼生成物を排出する工程、
を包含する、方法。
【請求項４６】
請求項４５に記載の大量の燃料を燃焼する方法であって、ここで該火格子システムにおいて前記複数の空間を通じて燃焼気体を導入する前記工程が、該火格子システムにおける該複数の空間を通じて燃焼空気を導入する工程を包含する、方法。
【請求項４７】
請求項４５に記載の大量の燃料を燃焼する方法であって、ここで燃焼チャンバー内に火格子システムを設置するために複数の火格子エレメントを重複する前記工程が、該燃焼チャンバー内に実質的に平面の火格子システムを設置する工程を包含する、方法。
【請求項４８】
請求項４７に記載の大量の燃料を燃焼する方法であって、ここで燃焼チャンバー内に火格子システムを設置するための複数の火格子エレメントを重複する前記工程が、燃焼チャンバー内に前記実質的に平面の火格子システムを設置するために、複数の実質的に平面の火格子エレメントを重複する工程を包含する、方法。
【請求項４９】
請求項４８に記載の大量の燃料を燃焼する方法であって、ここで該大量の燃料の少なくとも一部分を燃焼して燃焼生成物を生成する前記工程は、前記燃焼空気を利用し、そして該燃焼空気が、該大量の燃料の少なくとも一部を燃焼して燃焼生成物を生成する工程に使用された後の該燃焼空気を再循環する工程をさらに包含する、方法。
【請求項５０】
燃焼チャンバー内にある前記複数の火格子エレメントをインターロックする工程をさらに包含する、請求項４８に記載の大量の燃料を燃焼する方法。
【請求項５１】
平面表面内にある前記複数の火格子エレメントを制限する工程をさらに包含する、請求項５０に記載の大量の燃料を燃焼する方法。
【請求項５２】
前記複数の火格子エレメントにおける少なくとも１つの一体型リブを通じて熱を消失する工程をさらに包含する、請求項５０に記載の大量の燃料を燃焼する方法。
【請求項５３】
請求項４５に記載の大量の燃料を燃焼する方法であって、前記複数の重複火格子エレメントを重複する工程の結果として、前記火格子システムにおいて複数の空間を設置する前記工程が、火格子エレメント間の重複スペーサーを利用する工程を包含する、方法。
【請求項５４】
請求項４６に記載の大量の燃料を燃焼する方法であって、ここで前記火格子システムにおける前記複数の空間を通じて燃焼気体を導入する前記工程が、該火格子システムの下のプレナムを通じて、前記燃焼空気を分配する工程を包含する、方法。
【請求項５５】
前記燃焼気体をパルス化する工程をさらに包含する、請求項４６に記載の大量の燃料を燃焼する方法。
【請求項５６】
請求項４５に記載の大量の燃料を燃焼する方法であって、前記燃焼生成物が存在する場所において、第３の気体を導入する工程をさらに包含する、方法。
【請求項５７】
請求項４９に記載の大量の燃料を燃焼する方法であって、ここで前記燃焼空気が、該大量の燃料の少なくとも一部分を燃焼し、燃焼生成物を生成する前記工程において使用された後に、該燃焼空気を再循環する工程が、該燃焼生成物が存在する場所において再循環気体を導入する工程を包含する、方法。
【請求項５８】
請求項４５に記載の大量の燃料を燃焼する方法であって、ここで前記燃焼チャンバー内にある前記複数の重複火格子エレメントにおいて、前記複数のアパーチャを通じて第２の気体を導入する前記工程は、該重複火格子エレメントの各々の下のプレナムを通じて、前記第２の空気を分配する工程を包含する、方法。
【請求項５９】
前記第２の気体をパルス化する工程をさらに包含する、請求項５８に記載の大量の燃料を燃焼する方法
【請求項６０】
前記第２の気体をパルス化する工程が、前記燃焼気体から独立している該第２の気体をパルス化する工程を包含する、請求項５９に記載の大量の燃料を燃焼する方法。
【請求項６１】
前記火格子システムの少なくとも一部を振動する工程をさらに包含する、請求項４５に記載の大量の燃料を燃焼する方法。
【請求項６２】
複数の振動エレメントを提供する工程をさらに包含する請求項６１に記載の大量の燃料を燃焼する方法であって、そしてここで振動する前記工程が、前記複数の振動エレメントの各々を独立して制御する工程を包含する、方法。
【請求項６３】
前記大量の燃料の少なくとも一部を燃焼し、燃焼生成物を生成する前記工程が達成されながら、該大量の燃料の少なくとも一部を燃焼し、燃焼生成物を生成する該工程が達成されるレベルを積極的に制御する工程をさらに包含する、請求項４５に記載の大量の燃料を燃焼する方法。
【請求項６４】
前記大量の燃料の少なくとも一部分を燃焼し、燃焼生成物を生成する前記工程が達成されながら、該大量の燃料の少なくとも一部分を燃焼し、燃焼生成物を生成する該工程が達成されるレベルを積極的に制御する工程をさらに包含する、請求項５６に記載の大量の燃料を燃焼する方法。
【請求項６５】
前記大量の燃料の少なくとも一部を燃焼し、燃焼生成物を生成する前記工程が達成されながら、該大量の燃料の少なくとも一部分を燃焼し、燃焼生成物を生成する前記工程が達成されるレベルを積極的に制御する前記工程が、前記燃焼チャンバーにおいて温度を感知する工程を包含する、請求項６３または６４に記載の大量の燃料を燃焼する方法。
【請求項６６】
請求項６５に記載の大量の燃料を燃焼する方法であって、ここで前記燃焼チャンバーの温度を感知する前記工程が、以下の工程：
ａ．該燃焼チャンバーの第１の温度を感知する工程；および
ｂ．該燃焼チャンバーの第２の温度を感知する工程、
を包含する、方法。
【請求項６７】
前記燃焼チャンバーにおける第１の温度を感知する前記工程が、該燃焼チャンバーにおける燃焼温度を感知する工程を包含し、そして該燃焼チャンバーにおける第２の温度を感知する前記工程が、該燃焼チャンバーにおける燃焼後温度を感知する工程を包含する、請求項６６に記載の大量の燃料を燃焼する方法。
【請求項６８】
前記大量の燃料の少なくとも一部分を燃焼し、燃焼生成物を生成する前記工程が達成されながら、該大量の燃料の少なくとも一部分を燃焼し、燃焼生成物を生成する該工程が達成されるレベルを積極的に制御する工程が、前記燃焼チャンバーの少なくとも１つのシステムパラメーター調整する工程を包含する、請求項６３または６４に記載の大量の燃料を燃焼する方法。
【請求項６９】
請求項６８に記載の大量の燃料を燃焼する方法であって、ここで前記燃焼チャンバーの少なくとも１つのシステムパラメーターを調整する工程が、以下からなる群より選択されるシステムパラメーターを調整する工程を包含する、方法：大量の燃料を該燃焼チャンバー中に供給する前記工程、前記火格子システムにおける前記複数の空間を通じて、燃焼気体を導入する前記工程、前記燃焼チャンバー内にある前記複数の重複火格子エレメントにおける前記複数のアパーチャを通じて、第２の気体を導入する前記工程、該燃焼チャンバーへ燃焼後気体を導入する工程、該燃焼チャンバーを冷却する工程、該燃焼チャンバー内にある酸素含有量を制御する工程、燃焼気体酸素含有量を制御する工程、該燃焼チャンバー内にある一酸化炭素含有量を制御する工程、燃焼気体一酸化炭素含有量を制御する工程、該燃焼チャンバー内の温度を制御する工程、該燃焼チャンバー内の燃焼温度を制御する工程、該燃焼チャンバー内の燃焼後温度を制御する工程、該燃焼チャンバーへ大量の燃料を供給する前記工程と前記火格子システムにおける前記複数の空間を通じて燃焼気体を導入する前記工程との間の関係を制御する工程、灰排出速度を制御する工程、大量の燃料の運搬速度を制御する工程、振動強度を制御する工程、振動周波数を制御する工程、振動場所を制御する工程、振動タイミングを制御する工程、ローラースピードを制御する工程、ローラー深度を制御する工程、大量の燃料深度を制御する工程、およびこのような工程の任意の組み合わせまたは錯列。
【請求項７０】
前記火格子システムの出口端におけるローラーの操作により、該火格子システムにおける前記大量の燃料の深度を制御する工程をさらに包含する、請求項４５に記載の大量の燃料を燃焼する方法。
【請求項７１】
前記火格子システムの出口端におけるローラーの操作により、該火格子システムにおける前記大量の燃料の深度を制御する工程が、該ローラーを調節する工程を包含する、請求項７０に記載の大量の燃料を燃焼する方法。
【請求項７２】
前記ローラーと前記火格子システムとの間の連絡を維持する工程をさらに包含する、請求項７０に記載の大量の燃料を燃焼する方法。
【請求項７３】
請求項４５に記載の大量の燃料を燃焼する方法であって、ここで大量の燃料を前記燃焼チャンバーへ供給する前記工程が、該大量の燃料と共に該燃焼チャンバー中へ導入される空気の量を制限する工程を包含する、方法。
【請求項７４】
請求項６９に記載の大量の燃料を燃焼する方法であって、ここで大量の燃料を前記燃焼チャンバーへ供給する前記工程が、該大量の燃料と共に該燃焼チャンバー中へ導入される空気の量を制限する工程を包含する、方法。
【請求項７５】
大量の燃料を燃焼する方法であって、該方法は、以下の工程：
ａ．大量の燃料を受容するように位置付けされる燃焼チャンバーを提供する工程；
ｂ．該燃焼チャンバー内に火格子システムを提供する工程；
ｃ．大量の燃料を該火格子システムへ供給する工程；
ｄ．該大量の燃料を実質的に燃焼する工程；
ｅ．複数の振動エレメントを提供する工程；
ｆ．該複数の振動エレメントの各々を独立して制御する工程；および
ｇ．該火格子システムの少なくとも一部を振動する工程、
を包含する、方法。
【請求項７６】
請求項７５に記載の大量の燃料を燃焼する方法であって、そして以下の工程：
ａ．燃焼される大量の燃料を形成する工程；および
ｂ．前記火格子システムを振動する前記工程の結果として、該燃焼される大量の燃料を攪拌する工程、
をさらに包含する、方法。
【請求項７７】
請求項７６に記載の大量の燃料を燃焼する方法であって、燃焼される大量の燃料を形成する前記工程を達成する場合、燃焼されない材料を形成する工程をさらに包含する、方法。
【請求項７８】
前記火格子システムを振動する前記工程の結果として、前記燃焼されない材料を攪拌する工程をさらに包含する、請求項７７に記載の大量の燃料を燃焼する方法。
【請求項７９】
燃焼される大量の燃料を形成する前記工程が、集塊化燃焼副生成物を形成する工程を包含する、請求項７６に記載の大量の燃料を燃焼する方法。
【請求項８０】
請求項７９に記載の大量の燃料を燃焼する方法であって、ここで前記燃焼される大量の燃料を攪拌する前記工程が、前記集塊化燃焼副生成物を攪拌する工程を包含する、方法。
【請求項８１】
前記燃焼チャンバーから前記集塊化燃焼副生成物を除去する工程をさらに包含する、請求項８０に記載の大量の燃料を燃焼する方法。
【請求項８２】
前記振動する工程、前記攪拌する工程および前記除去する工程を繰り返す工程をさらに包含する、請求項８１に記載の大量の燃料を燃焼する方法。
【請求項８３】
除去する前記工程が、振動する工程および攪拌する工程を繰り返す前記工程の間に、前記燃焼チャンバーから前記集塊化燃焼副生成物を除去する工程を包含する、請求項８２に記載の大量の燃料を燃焼する方法。
【請求項８４】
前記供給する工程、前記実質的に燃焼する工程、および前記形成する工程を繰り返す工程をさらに包含する、請求項７９に記載の大量の燃料を燃焼する方法。
【請求項８５】
前記燃焼される大量の燃料を攪拌する前記工程が、前記集塊化燃焼副生成物を攪拌する工程を包含する、請求項８４に記載の大量の燃料を燃焼する方法。
【請求項８６】
前記燃焼チャンバーから前記集塊化燃焼副生成物を除去する工程をさらに包含する、請求項８５に記載の大量の燃料を燃焼する方法。
【請求項８７】
前記振動する工程、前記攪拌する工程および前記除去する工程を繰り返す工程をさらに包含する、請求項８６に記載の大量の燃料を燃焼する方法。
【請求項８８】
振動する工程および攪拌する工程を繰り返す前記工程の間に、前記燃焼チャンバーから前記集塊化燃焼副生成物除去する工程をさらに包含する、請求項８７に記載の大量の燃料を燃焼する方法。
【請求項８９】
請求項７８に記載の大量の燃料を燃焼する方法であって、ここで前記火格子システムが、前記入口端と前記出口端との間に長さを有し、そして、ここで攪拌する前記工程が、該火格子システムの該長さに沿って、前記燃焼される大量の燃料を撹拌しながら運搬する工程を包含する、方法。
【請求項９０】
攪拌する前記工程が、燃焼される大量の燃料を前記燃焼チャンバーから攪拌しながら除去する工程をさらに包含する、請求項８９に記載の大量の燃料を燃焼する方法。
【請求項９１】
燃焼される大量の燃料を形成する前記工程が、集塊化燃焼副生成物を形成する工程を包含する、請求項９０に記載の大量の燃料を燃焼する方法。
【請求項９２】
火格子システムを提供する前記工程が、前記複数の振動エレメントに対して応答性の複数の火格子エレメントを提供する工程を包含する、請求項７９に記載の大量の燃料を燃焼する方法。
【請求項９３】
振動する前記工程が、前記振動エレメントの各々と共に前記複数の火格子エレメントの少なくとも一部分を振動する工程を包含する、請求項９２に記載の大量の燃料を燃焼する方法。
【請求項９４】
振動する前記工程が、前記複数の振動エレメントの各々を独立して制御する工程を包含する、請求項９３に記載の大量の燃料を燃焼する方法。
【請求項９５】
火格子システムを提供する前記工程が、複数の前記火格子エレメントが応答性である複数の相互連絡エレメントを提供する工程を包含する、請求項９２に記載の大量の燃料を燃焼する方法。
【請求項９６】
振動する前記工程が、前記振動エレメントの各々と共に前記複数の相互連絡エレメントの少なくとも一部を振動する工程を包含する、請求項９５に記載の大量の燃料を燃焼する方法。
【請求項９７】
大量燃料燃焼炉であって、以下：
ａ．大量燃料供給エレメント；
ｂ．該大量燃料供給エレメントから大量の燃料を受容するように位置付けされる、燃焼チャンバー；
ｃ．該燃焼チャンバー内にある傾いた火格子システム；
ｄ．該傾いた火格子システムが応答性である振動エレメント；
ｅ．該燃焼チャンバー内にある燃焼気体供給；および
ｆ．該傾いた火格子システムの前記出口端の付近に位置する灰排出システム、
を包含する、大量燃料燃焼炉。
【請求項９８】
前記傾いた火格子システムが、複数の重複火格子エレメントを備える、請求項９７に記載の大量燃料燃焼炉。
【請求項９９】
前記複数の重複火格子エレメントが、前記振動エレメントに対して各々個々に応答性である複数の火格子帯を備える、請求項９８に記載の大量燃料燃焼炉。
【請求項１００】
複数の振動相互連絡エレメントをさらに備える請求項９９に記載の大量燃料燃焼炉であって、該複数の振動相互連絡エレメントの各々に対して、前記複数の前記重複火格子エレメントの少なくとも一部が応答性である、大量燃料燃焼炉。
【請求項１０１】
前記複数の振動相互連絡エレメントが、前記振動エレメントに対して応答性である、請求項１００に記載の大量燃料燃焼炉。
【請求項１０２】
複数の振動エレメントをさらに備える請求項１００に記載の大量燃料燃焼炉であって、該複数の振動エレメントの各々に対して、前記複数の前記相互連絡エレメントの少なくとも一部が応答性である、大量燃料燃焼炉。
【請求項１０３】
前記複数の振動エレメントの各々が独立して制御可能である、請求項１０２に記載の大量燃料燃焼炉。
【請求項１０４】
前記複数の振動相互連絡エレメントの各々がロッドを備える、請求項１０１または１０２に記載の大量燃料燃焼炉。
【請求項１０５】
請求項１０４に記載の大量燃料燃焼炉であって、ここで前記重複火格子エレメントが、リブエレメントをさらに備え、該リブエレメントの各々が、前記相互連絡エレメントの一つに対して応答性である、大量燃料燃焼炉。
【請求項１０６】
請求項９７に記載の大量燃料燃焼炉であって、ここで前記傾いた火格子システムが複数の振動火格子帯を備え、該複数の振動火格子帯は前記振動エレメントに対して各々個々に応答性である、大量燃料燃焼炉。
【請求項１０７】
複数の振動エレメントをさらに備える請求項１０６に記載の大量燃料燃焼炉であって、該複数の振動エレメントに対して前記振動火格子帯の１つが応答性である、大量燃料燃焼炉。
【請求項１０８】
前記複数の振動エレメントの各々が独立して制御可能である、請求項１０７に記載の大量燃料燃焼炉。
【請求項１０９】
大量の燃料を燃焼する方法であって、該方法は、以下の工程：
ａ．大量の燃料を受容するように位置付けされる燃焼チャンバーを提供する工程；
ｂ．該燃焼チャンバー内に傾いた火格子システムを提供する工程；
ｃ．大量の燃料を、該傾いた火格子システムへ供給する工程； 
ｄ．該大量の燃料を実質的に燃焼する工程；および
ｅ．該傾いた火格子システムの少なくとも一部を振動する工程、
を包含する、方法。
【請求項１１０】
請求項１０９に記載の大量の燃料を燃焼する方法であって、以下の工程：
ａ．燃焼される大量の燃料を形成する工程；および  
ｂ．前記傾いた火格子システムを振動する前記工程の結果として、該燃焼される大量の燃料を撹拌する工程、
をさらに包含する、方法。
【請求項１１１】
燃焼される大量の燃料を形成する前記工程を達成する場合、燃焼されない材料を形成する工程をさらに包含する、請求項１１０に記載される大量の燃料を燃焼する方法。
【請求項１１２】
前記傾いた火格子システムを振動する前記工程の結果として、前記燃焼されない材料を攪拌する工程をさらに包含する、請求項１１１に記載の大量の燃料を燃焼する方法。
【請求項１１３】
燃焼される大量の燃料を形成する前記工程が、集塊化燃焼副生成物を形成する工程を包含する、請求項１１０に記載の大量の燃料を燃焼する方法。
【請求項１１４】
前記燃焼される大量の燃料を攪拌する前記工程が、前記集塊化燃焼副生成物を攪拌する工程を包含する、請求項１１３に記載の大量の燃料を燃焼する方法。
【請求項１１５】
前記燃焼チャンバーから前記集塊化燃焼副生成物を除去する工程をさらに包含する、請求項１１４に記載の大量の燃料を燃焼する方法。
【請求項１１６】
前記振動する工程、前記攪拌する工程および前記除去する工程を繰り返す工程をさらに包含する、請求項１１５に記載の大量の燃料を燃焼する方法。
【請求項１１７】
除去する前記工程が、振動する工程および攪拌する工程を繰り返す前記工程の間、前記燃焼チャンバーから前記集塊化燃焼副生成物を除去する工程を包含する、請求項１１６に記載の大量の燃料を燃焼する方法。
【請求項１１８】
前記供給する工程、前記実質的に燃焼する工程、および前記形成する工程を繰り返す工程をさらに包含する、請求項１１３に記載の大量の燃料を燃焼する方法。
【請求項１１９】
前記燃焼される大量の燃料を攪拌する前記工程が、前記集塊化燃焼副生成物を攪拌する工程を包含する、請求項１１８に記載の大量の燃料を燃焼する方法。
【請求項１２０】
前記燃焼チャンバーから前記集塊化燃焼副生成物を除去する工程をさらに包含する請求項１１９に記載の大量の燃料を燃焼する方法。
【請求項１２１】
前記振動する工程、前記攪拌する工程および前記除去する工程を繰り返す工程をさらに包含する、請求項１２０に記載の大量の燃料を燃焼する方法。
【請求項１２２】
振動する工程および攪拌する工程を繰り返す前記工程の間、前記燃焼チャンバーから前記集塊化燃焼副生成物を除去する工程をさらに包含する、請求項１２１に記載の大量の燃料を燃焼する方法。
【請求項１２３】
請求項１１０に記載の大量の燃料を燃焼する方法であって、ここで前記傾いた火格子システムは、前記入口端と前記出口端との間に長さを有し、そしてここで攪拌する前記工程は、該火格子システムの該長さに沿って、前記燃焼される大量の燃料を撹拌しながら運搬する工程を包含する、方法。
【請求項１２４】
攪拌する前記工程が、燃焼される大量の燃料を前記燃焼チャンバーから攪拌しながら除去する工程をさらに包含する、請求項１２３に記載の大量の燃料を燃焼する方法。
【請求項１２５】
燃焼される大量の燃料を形成する前記工程が、集塊化燃焼副生成物を形成する工程を包含する、請求項１２４に記載の大量の燃料を燃焼する方法。
【請求項１２６】
複数の振動エレメントを提供する工程をさらに包含する請求項１１９に記載の大量の燃料を燃焼する方法であって、そしてここで振動する前記工程が、該複数の振動エレメントと共に前記傾いた火格子システムの少なくとも一部を振動する工程を包含する、方法。
【請求項１２７】
振動する前記工程が前記複数の振動エレメントの各々を独立して制御する工程を包含する、請求項１２６に記載の大量の燃料を燃焼する方法。
【請求項１２８】
傾いた火格子システムを提供する前記工程が、前記複数の振動エレメントに対して応答性である複数の火格子エレメントを提供する工程を包含する、請求項１２６に記載の大量の燃料を燃焼する方法。
【請求項１２９】
振動する前記工程が、前記振動エレメントの各々と共に前記複数の火格子エレメントの少なくとも一部を振動する工程を包含する、請求項１２８に記載の大量の燃料を燃焼する方法。
【請求項１３０】
振動する前記工程が、前記複数の振動エレメントの各々を独立して制御する工程を包含する、請求項１２９に記載の大量の燃料を燃焼する方法。
【請求項１３１】
傾いた火格子システムを提供する前記工程が複数の相互連絡エレメントを提供する工程を包含し、該複数の相互連絡エレメントに対して複数の前記火格子エレメントが応答性である、請求項１２８に記載の大量の燃料を燃焼する方法。
【請求項１３２】
振動する前記工程が、前記振動エレメントの各々と共に前記複数の相互連絡エレメントの少なくとも一部分を振動する工程を包含する、請求項１３１に記載の大量の燃料を燃焼する方法。
【請求項１３３】
大量燃料燃焼炉であって、以下：
ａ．大量燃料供給エレメント；
ｂ．該大量燃料供給エレメントから大量の燃料を受容するように位置付けされる、燃焼チャンバー；
ｃ．該燃焼チャンバー内にある火格子システム；
ｄ．該火格子システムが応答性である、実質的直交振動エレメント；
ｅ．該燃焼チャンバー内にある燃焼気体供給；および
ｆ．該火格子システムの出口端の付近に位置する、灰排出システム、
を備える、大量燃料燃焼炉。
【請求項１３４】
前記火格子システムが複数の重複火格子エレメントを備える、請求項１３３に記載の大量燃料燃焼炉。
【請求項１３５】
前記複数の重複火格子エレメントが、前記実質的直交振動エレメントに対して各々個々に応答性である複数の火格子帯を備える、請求項１３４に記載の大量燃料燃焼炉。
【請求項１３６】
複数の振動相互連絡エレメントをさらに備え、該複数の振動相互連絡エレメントに対して前記複数の前記重複火格子エレメントの少なくとも一部が応答性である、請求項１３５に記載の大量燃料燃焼炉。
【請求項１３７】
前記複数の振動相互連絡エレメントが、前記実質的直交振動エレメントに対して応答性である、請求項１３６に記載の大量燃料燃焼炉。
【請求項１３８】
複数の実質的直交振動エレメントをさらに備え、該複数の実質的直交振動エレメントの各々に対して、前記複数の前記相互連絡エレメントの少なくとも一部が応答性である、請求項１３６に記載の大量燃料燃焼炉。
【請求項１３９】
前記複数の実質的直交振動エレメントの各々が、独立して制御可能である、請求項１３８に記載の大量燃料燃焼炉。
【請求項１４０】
前記複数の振動相互連絡エレメントの各々がロッドを備える、請求項１３７または１３８に記載の大量燃料燃焼炉。
【請求項１４１】
前記重複火格子エレメントがリブエレメントをさらに備え、該リブエレメントの各々が、前記相互連絡エレメントの一つに対して応答性である、請求項１４０に記載の大量燃料燃焼炉。
【請求項１４２】
前記火格子システムが前記実質的直交振動エレメントに対して各々個々に応答性である複数の振動火格子帯を備える、請求項１３３に記載の大量燃料燃焼炉。
【請求項１４３】
複数の実質的直交振動エレメントをさらに備え、該複数の実質的直交振動エレメントに対して前記振動火格子帯の一つが応答性である、請求項１４２に記載の大量燃料燃焼炉。
【請求項１４４】
前記複数の実質的直交振動エレメントの各々が独立して制御可能である、請求項１４３に記載の大量燃料燃焼炉。
【請求項１４５】
大量の燃料を燃焼する方法であって、該方法は、以下の工程：
ａ．大量の燃料を受容するように位置付けされる燃焼チャンバーを提供する工程；
ｂ．該燃焼チャンバー内に火格子システムを提供する工程；
ｃ．大量の燃料を、該火格子システムへ供給する工程； 
ｄ．該大量の燃料を実質的に燃焼する工程；および
ｅ．該大量の燃料の流れに対して実質的に直交する該火格子システムの少なくとも一部を振動する工程、
を包含する、方法。
【請求項１４６】
請求項１４５に記載の大量の燃料を燃焼する方法であって、そしてさらに以下の工程：  
ａ．燃焼される大量の燃料を形成する工程；および  
ｂ．前記火格子システムを振動する前記工程の結果として該燃焼される大量の燃料を攪拌する工程、
を包含する、方法。
【請求項１４７】
燃焼される大量の燃料を形成する前記工程を達成する場合、燃焼されない材料を形成する工程をさらに包含する、請求項１４６に記載の大量の燃料を燃焼する方法。
【請求項１４８】
前記火格子システムを振動する前記工程の結果として、前記燃焼されない材料を攪拌する工程をさらに包含する、請求項１４７に記載の大量の燃料を燃焼する方法。
【請求項１４９】
燃焼される大量の燃料を形成する前記工程が、集塊化燃焼副生成物を形成する工程を包含する、請求項１４６に記載の大量の燃料を燃焼する方法。
【請求項１５０】
前記燃焼される大量の燃料を攪拌する前記工程が、前記集塊化燃焼副生成物を攪拌する工程を包含する、請求項１４９に記載の大量の燃料を燃焼する方法。
【請求項１５１】
前記燃焼チャンバーから前記集塊化燃焼副生成物を除去する工程をさらに包含する、請求項１５０に記載の大量の燃料を燃焼する方法。
【請求項１５２】
前記振動する工程、前記攪拌する工程および前記除去する工程を繰り返す工程をさらに包含する、請求項１５１に記載の大量の燃料を燃焼する方法。
【請求項１５３】
除去する前記工程が、振動する工程および攪拌する工程を繰り返す前記工程の間に、前記燃焼チャンバーから前記集塊化燃焼副生成物を除去する工程を包含する、請求項１５２に記載の大量の燃料を燃焼する方法。
【請求項１５４】
前記供給する工程、前記実質的に燃焼する工程、および前記形成する工程を繰り返す工程をさらに包含する、請求項１４９に記載の大量の燃料を燃焼する方法。
【請求項１５５】
前記燃焼される大量の燃料を攪拌する前記工程が、前記集塊化燃焼副生成物を攪拌する工程を包含する、請求項１５４に記載の大量の燃料を燃焼する方法。
【請求項１５６】
前記集塊化燃焼副生成物を前記燃焼チャンバーから除去する工程をさらに包含する、請求項１５５に記載の大量の燃料を燃焼する方法。
【請求項１５７】
前記振動する工程、前記攪拌する工程および前記除去する工程を繰り返す工程をさらに包含する、請求項１５６に記載の大量の燃料を燃焼する方法。
【請求項１５８】
振動する工程および攪拌する工程を繰り返す前記工程の間に、前記集塊化燃焼副生成物を前記燃焼チャンバーから除去する工程をさらに包含する、請求項１５７に記載の大量の燃料を燃焼する方法。
【請求項１５９】
請求項１４６に記載の大量の燃料を燃焼する方法であって、ここで前記火格子システムは、前記入口端と前記出口端との間に長さを有し、そしてここで攪拌する前記工程は、該火格子システムの該長さに沿って、前記燃焼される大量の燃料を撹拌しながら運搬する工程を包含する、方法。
【請求項１６０】
攪拌する前記工程が、燃焼される大量の燃料を前記燃焼チャンバーから攪拌しながら除去する工程をさらに包含する、請求項１５９に記載の大量の燃料を燃焼する方法。
【請求項１６１】
燃焼される大量の燃料を形成する前記工程が、集塊化燃焼副生成物を形成する工程を包含する、請求項１６０に記載の大量の燃料を燃焼する方法。
【請求項１６２】
複数の振動エレメントを提供する工程をさらに包含し、ここで振動する前記工程が、前記複数の振動エレメントと共に前記大量の燃料の流れに対して実質的に直交する前記火格子システムの少なくとも一部を振動する工程を包含する、請求項１５５に記載の大量の燃料を燃焼する方法。
【請求項１６３】
振動する前記工程が前記複数の振動エレメントの各々を独立して制御する工程を包含する、請求項１６２に記載の大量の燃料を燃焼する方法。
【請求項１６４】
火格子システムを提供する前記工程が、前記複数の振動エレメントに対して応答性である複数の火格子エレメントを提供する工程を包含する、請求項１６２に記載の大量の燃料を燃焼する方法。
【請求項１６５】
振動する前記工程が、前記振動エレメントの各々と共に前記大量の燃料の流れに対して実質的に直交する前記複数の火格子エレメントの少なくとも一部を振動する工程を包含する、請求項１６４に記載の大量の燃料を燃焼する方法。
【請求項１６６】
振動する前記工程が前記複数の振動エレメントの各々を独立して制御する工程を包含する、請求項１６５に記載の大量の燃料を燃焼する方法。
【請求項１６７】
火格子システムを提供する前記工程が複数の相互連絡エレメントを提供する工程を包含し、該複数の相互連絡エレメントに対して、複数の前記火格子エレメントが応答性である、請求項１６４に記載の大量の燃料を燃焼する方法。
【請求項１６８】
振動する前記工程が前記振動エレメントの各々と共に前記複数の相互連絡エレメントの少なくとも一部を振動する工程を包含する、請求項１６７に記載の大量の燃料を燃焼する方法。
【請求項１６９】
大量の燃料を燃焼する方法であって、該方法は、以下の工程：
ａ．大量の燃料を受容するように位置付けされる燃焼チャンバーを提供する工程；
ｂ．燃焼チャンバー内に火格子システムを設置する工程；
ｃ．該燃焼チャンバー内の該火格子システム上に大量の燃料を供給する工程；
ｄ．該大量の燃料を該火格子システムを横切って運搬する工程；
ｅ．燃焼気体を該燃焼チャンバーへ導入する工程；
ｆ．該大量の燃料の少なくとも一部を燃焼して、燃焼生成物を生成する工程；
ｇ．温度制御再循環気体を該燃焼チャンバー内に導入する工程；
ｈ．該燃焼チャンバー内の温度を該温度制御再循環気体により制御する工程；
ｉ．該燃焼生成物を排出する工程、
を包含する方法。
【請求項１７０】
請求項１６９に記載の大量の燃料を燃焼する方法であって、温度制御再循環気体を前記燃焼チャンバー内に導入する前記工程が、実質的に不燃性の再循環気体を該燃焼チャンバーに導入する工程を包含する、方法。
【請求項１７１】
請求項１７０に記載の大量の燃料を燃焼する方法であって、実質的に不燃性の再循環気体を前記燃焼チャンバーに導入する前記工程が、再循環燃焼気体を該燃焼チャンバー内に導入する工程を包含する、方法。
【請求項１７２】
請求項１６９に記載の大量の燃料を燃焼する方法であって、混合気体を前記燃焼チャンバーに導入する工程をさらに包含し、そしてここで混合気体を該燃焼チャンバーに導入する該工程が、燃焼気体を該燃焼チャンバーへ導入する前記工程および温度制御再循環気体を該燃焼チャンバー内に導入する前記工程の両方から独立している、方法。
【請求項１７３】
温度制御再循環気体を前記燃焼チャンバー内に導入する前記工程が、冷却気体を該燃焼チャンバーに導入する工程を包含する、請求項１６９に記載の大量の燃料を燃焼する方法。
【請求項１７４】
冷却気体を前記燃焼チャンバーに導入する前記工程が、再循環燃焼気体を該燃焼チャンバーに導入する工程を包含する、請求項１６９に記載の大量の燃料を燃焼する方法。
【請求項１７５】
温度制御再循環気体を前記燃焼チャンバー内に導入する前記工程が、前記燃焼生成物が存在する場所で該温度制御再循環気体を導入する工程を包含する、請求項１６９に記載の大量の燃料を燃焼する方法。
【請求項１７６】
前記燃焼生成物が存在する場所で前記温度制御再循環気体を導入する前記工程が、前記火格子システムの上に該温度制御再循環気体を導入する工程を包含する、請求項１７５に記載の大量の燃料を燃焼する方法。
【請求項１７７】
前記燃焼生成物が存在する場所で前記温度制御再循環気体を導入する前記工程が、前記火格子システムの下に該温度制御再循環気体を導入する工程を包含する、請求項１７５に記載の大量の燃料を燃焼する方法。
【請求項１７８】
前記燃焼チャンバーに大量の燃料を供給する前記工程が、該大量の燃料と共に該燃焼チャンバーに導入される空気の量を制限する工程を包含する、請求項１６９に記載の大量の燃料を燃焼する方法。
【請求項１７９】
請求項１６９に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する工程をさらに包含する方法。
【請求項１８０】
請求項１７９に記載の大量の燃料を燃焼する方法であって、該大量の燃料の少なくとも一部を燃焼して、燃焼生成物を生成する前記工程の結果として、前記燃焼チャンバー内の集塊化燃焼副生成物を低減する前記工程が、集塊化燃焼副生成物低減気体を前記燃焼チャンバー内に導入する工程を包含する、方法。
【請求項１８１】
集塊化燃焼副生成物低減気体を前記燃焼チャンバー内に導入する前記工程が、再循環燃焼気体を該燃焼チャンバー内に導入する工程を包含する、請求項１８０に記載の大量の燃料を燃焼する方法。
【請求項１８２】
前記チャンバー内に導入される前記気体の少なくとも１つをパルス化する工程をさらに包含する、請求項１６９に記載の大量の燃料を燃焼する方法。
【請求項１８３】
前記温度制御再循環気体をパルス化する工程をさらに包含する、請求項１６９に記載の大量の燃料を燃焼する方法。
【請求項１８４】
前記複数の重複火格子エレメントが、複数の固定された重複火格子エレメントを備える、請求項１に記載の大量燃料燃焼炉。
【請求項１８５】
前記複数の固定された重複火格子エレメントが、それぞれ並進運動を抑止されている、請求項１８４に記載の大量燃料燃焼炉。
【請求項１８６】
前記複数の固定された重複火格子エレメントが、それぞれ回転運動を抑止されている、請求項１８４または１８５に記載の大量燃料燃焼炉。
【請求項１８７】
前記複数の火格子エレメントの各々の並進運動を抑止する工程をさらに包含する、請求項４５に記載の大量の燃料を燃焼する方法。
【請求項１８８】
前記複数の火格子エレメントの各々の回転運動を抑止する工程をさらに包含する、請求項４５または１８７に記載の大量の燃料を燃焼する方法。